(57)【要約】【課題】河川や海岸護岸における流速や波力、その他地震時外力などが作用した場合に横ずれが生じないような布団篭を提供することを目的とする。【解決手段】布団篭の底面の平面形状が一方向の幅を複数有するものであり、一方向の幅が変化する部分にまたがって中詰材２を収納することができる平面視Ｈ形状の布団篭１を組立て、右図のように相互に噛み合うように平面配置して中詰材２を収納することにより、複数の布団篭１が全体として安定した構造体を形成する。布団篭の平面視形状は、Ｈ形状のほか、Ｌ形状や十字形状などがある。【選択図】　　　　図２
2004143811.tif 000002
【特許請求の範囲】
【請求項１】
中詰材を収容した複数の布団篭を平面形状的に相互の噛み合わせをもって敷設するための布団篭であって、該布団篭の底面の平面形状が一方向の幅を複数有していることを特徴とする、布団篭。
【請求項２】
請求項１記載の布団篭において、
平面視Ｈ形状の底網を使用することに特徴を有する、布団篭。
【請求項３】
請求項１記載の布団篭において、
平面視Ｌ形状の底網を使用することに特徴を有する、布団篭。
【請求項４】
請求項１記載の布団篭において、
平面視十字形状の底網を使用することに特徴を有する、布団篭。
【発明の詳細な説明】
【０００１】
【発明の属する技術分野】
本発明は、布団篭に関するものである。
【０００２】
【従来の技術】
山岳部や河川の法面などに設置する布団篭ａは、金網等で構成された篭ａ内に石ｂ等を詰め込み、各々の布団篭ａを連結して法面の防護を図るために用いられる。その場合の布団篭ａの配置方法は、図９に示すように各々の布団篭ａの側面を連結してなる一層構造の他、法面勾配に沿って多段上に積層してなる多層構造などがある。従来、前記布団篭ａは平面視矩形に形成されており、一部、河川護岸の曲線部分の法面防護には平面視台形状の布団篭も利用されているものの、それは設置上の幾何学的な問題を解決するためのものであって、布団篭群全体の平面構造上の強度向上を図ったものではない。
【０００３】
【発明が解決しようとする課題】
前記した従来の布団篭ａにあっては、次のような問題点がある。
＜イ＞平面視矩形の布団篭ａが隣接する布団篭ａと一面で接する一層構造であるか、または段上に積み上げられた多層構造であるため、布団篭ａ同士の結合力が弱く、地震時の外力や河川護岸の急流部においては流速や波力などのように大きな外力が作用した場合に、横ずれを生じる可能性がある。
＜ロ＞河川床に洗掘防止を目的として平面視矩形の布団篭ａを利用した場合に、平面的に各布団篭ａ同士の結合力が弱く、流速や波力により布団篭ａがずれを生じる可能性がある。
【０００４】
【発明の目的】
本発明は上記したような従来の問題を解決するためになされたもので、次のような布団篭を提供することを目的とする。
＜イ＞山岳部や河川・海岸護岸の法面などに利用した場合であって、地震時の外力や河川急流部のように流速や波力などの大きな外力が作用した場合に、横ずれが生じない布団篭。
＜ロ＞河川床に洗掘防止を目的として利用した場合に、流速や波力などにより横ずれが生じない布団篭。
本発明は、これらの目的の少なくとも一つを達成するものである。
【０００５】
【課題を解決するための手段】
上記のような目的を達成するために、本発明の布団篭は、中詰材２を収容した複数の布団篭を平面形状的に相互の噛み合わせをもって敷設した構造であって、該布団篭の底面の平面形状が一方向の幅を複数有していることを特徴とするものである。
【０００６】
該布団篭は、平面視Ｈ形状の底網１１を使用するもの、平面視Ｌ形状の底網４０を使用するもの、平面視十字形状の底網５０を使用するものである。
【０００７】
【発明の実施の形態】
以下、図面を参照しながら本発明の実施の形態について説明する。
【０００８】
＜イ＞布団篭
布団篭とは、金網で囲った容器のことであり、底網１１と側網１２にて構成してある（図１参照）。布団篭の中に中詰材２を収納することにより、布団篭全体の重量が増大して安定度が向上する。
【０００９】
＜ロ＞底網の形状
平面視Ｈ形状の底網１１の形状を図３のように形成する。すなわち、底網１１はＨ字の両垂直部分に相当するフランジ部１３と、両フランジ部を繋げる水平部に相当するウエブ部１６とによって構成する。該形状は図２の組立て時の平面配置を考慮したものである。ここで、図２は配置パターンを分かり易くするために模式的に表したものである。
ここで、ウエブ部１６を構成する矩形の長辺をウエブ部長辺１７、矩形の短辺をウエブ部短辺１８とし、フランジ部１３を構成する矩形の長辺をフランジ部長辺１４、矩形の短辺をフランジ部短辺１５とする。ウエブ部長辺１７の幅とフランジ部短辺１５の幅の比率は例えば２：１程度とし、フランジ部長辺１４の幅とウエブ部短辺１８の幅の比率は例えば３：１程度とする。
布団篭の運搬や持ち運び、設置などの作業性を考慮して、例えば図３において、
フランジ部長辺の幅は０．７５メートル、ウエブ部長辺の幅は０．５メートル程度に形成する。
【００１０】
＜ハ＞一方向の幅を複数有していること
布団篭の底網１１の平面形状はＨ字状に形成してあるから、水平方向を一方向とした場合に、該底網１１はフランジ部短辺１５の幅と、ウエブ部長辺１７および２つのフランジ部短辺１５からなる幅の、複数の幅を有することとなる（図３参照）。
垂直方向を一方向とした場合は、フランジ部長辺１４の幅とウエブ部短辺１８の幅の、複数の幅を有することとなる（図３参照）。
ここで、一方向の幅が変化する部分を幅変化線１９とする（図３参照）。
【００１１】
＜ニ＞側網
側網１２は、底網１１と分離した状態で施工場所にて底網１１と接続する場合と、底網１１の各辺に形成した折曲部に沿って該折曲部外側に設ける場合がある。
布団篭を組立てた時の側網１１高さは、０．５メートル程度に形成する。
【００１２】
＜ホ＞中詰材の機能
中詰材２の機能は、布団篭内に中詰材２を収納することにより、布団篭全体の重量を増大させて、外力に対する布団篭の滑動や転倒を生じにくくすることである。
さらに重要なことは、底網１１のうち幅変化線１９にまたがって中詰材２を収納することにより、一つの布団篭の一体性を強化できることである（図４（ａ）参照）。
すなわち、図４（ｂ）のように複数の平面視矩形の布団篭ａを結束コイル６等で結束して一つの平面視Ｈ形状の布団篭を構成した場合は、幅変化線１９において中詰材２が実質上分離されているが、それに比べて、平面視Ｈ形状の布団篭１では幅変化線１９にまたがって中詰材２を収納することができるため（図４（ａ）参照）、平面視Ｈ形状の布団篭１としての一体性がより強くなる。
中詰材２は所望の重量が確保されることを前提として、その材質は従来の石ｂのみではなく、コンクリートがらや現地発生土砂などの建設廃材を利用することも可能である。
【００１３】
＜ヘ＞組立て
平面視Ｈ形状の布団篭１の組立てについて以下に説明する。
底網１１と側網１２を結束コイル６にて結束することにより、平面視Ｈ形状の布団篭１を組立てる。
同様に、隣接する布団篭１を組立てた後、両布団篭１のフランジ部長辺１４同士を接続配置する。次に、前記接続配置により形成された隣接するフランジ部短辺１５の端部をその他の布団篭１であって前記２つの布団篭１に隣接する布団篭１のウエブ部長辺１７の端部に接続配置する（図２参照）。
所定の布団篭１の接続配置が完了した後に、中詰材２を篭内に投入する。中詰材２の投入終了後、蓋網３をかぶせ、結束コイル６にて布団篭側壁１２に結束して全体の構造体が完成する。
蓋網３は、複数の布団篭１の上部をまとめて覆う場合や、布団篭１ごとに覆う場合がある。
【００１４】
＜ト＞他の実施例１
平面視Ｌ形状の底網４０を有する布団篭４を作成する。
底網４０の形状は図５（ｂ）のように形成する。すなわち、底網４０はＬ字の垂線部分に相当する長辺部４１と、該長辺部４１に直交する水平部に相当する短辺部４４とによって構成したものである。
組立ては、平面視Ｈ形状の布団篭１と同様に、底網４０と側網４７を結束コイル６にて結束することにより、平面視Ｌ形状の布団篭４を組立てる。次に隣接する布団篭４を組立て、前記組立てが完了した布団篭４のうち、Ｌ字の内側隅角部の長辺部４１側に、隣接する布団篭の長辺部４１の端部が接続するように配置する（図６参照）。
ここで、図６は配置パターンを分かり易くするために模式的に表したものである。
布団篭の運搬や持ち運び、設置などの作業性を考慮して、例えば図５（ｂ）において、長辺部長辺の幅は０．７５メートル程度に形成する。
【００１５】
＜チ＞他の実施例２
平面視十字形状の底網５０を有する布団篭５を作成する。
底網５０の形状は図７（ｂ）のように形成する。すなわち、底網５０は中央矩形部５６と該中央矩形部の各辺の外側に設けた外側矩形部５１および５４とによって十字状を形成するものである
組立ては、平面視Ｈ形状の布団篭１と同様に、底網５０と側網５７を結束コイル６にて結束することにより、平面視十字形状の布団篭５を組立てる。次に隣接する布団篭５を組立てた後、前記２つの布団篭５のうち、外側矩形部５１の端部同士（または５４の端部同士）を接続し、かかる接続によって形成する凹部に他の布団篭５の外側矩形部５４（または５１）を嵌合接続する（図８参照）。
ここで、図８は配置パターンを分かり易くするために模式的に表したものである。
布団篭の運搬や持ち運び、設置などの作業性を考慮して、例えば図７（ｂ）において、外側矩形部５１の長辺の幅は０．７５メートル程度に形成する。
その他、噛み合い可能な平面視形状を有する布団篭は広く利用することができる。
【００１６】
【発明の効果】
本発明の布団篭は以上説明したようになるから次のような効果を得ることができる。
＜イ＞従来の布団篭ａに比べて平面形状的に各布団篭が噛み合わされて設置されることから、山岳部や河川・海岸護岸の法面部に使用する場合、河川床の洗掘防止として使用する場合に、布団篭が地震時の外力や流速・波力に対してずれを生じ難い。
＜ロ＞本発明の布団篭は、複数の平面視矩形の布団篭ａを組み合わせて一つの布団篭を構成するものではなく、底面の平面形状が一方向の幅を複数有している布団篭である。該布団篭は、底網の幅変化線１９にまたがって中詰材２を収納することが可能となり、複数の平面視矩形の布団篭ａを組み合わせて一つの布団篭を構成する場合に比べて、一つの布団篭の一体性が強化される。
【図面の簡単な説明】
【図１】本発明の布団篭のうち、平面視Ｈ形状の布団篭の斜視図
【図２】平面視Ｈ形状の布団篭を配置した場合の斜視図
【図３】平面視Ｈ形状の布団篭の底網について、一方向の幅が変化することを説明した図
【図４】幅変化線にまたがって中詰材を収容できること、および収容できないことを説明した図
【図５】本発明の布団篭のうち、平面視Ｌ形状の布団篭の斜視図
【図６】平面視Ｌ形状の布団篭を配置した場合の斜視図
【図７】本発明の布団篭のうち、平面視十字形状の布団篭の斜視図
【図８】平面視十字形状の布団篭を配置した場合の斜視図
【図９】従来の布団篭の一層構造の斜視図
【符号の説明】
１・・・平面視Ｈ形状の布団篭
１１・・底網
２・・・中詰材
４・・・平面視Ｌ形状の布団篭
４０・・底網
５・・・平面視十字形状の布団篭
５０・・底網
【図１】
2004143811.tif 000003
【図２】
2004143811.tif 000004
【図３】
2004143811.tif 000005
【図４】
2004143811.tif 000006
【図５】
2004143811.tif 000007
【図６】
2004143811.tif 000008
【図７】
2004143811.tif 000009
【図８】
2004143811.tif 000010
【図９】
2004143811.tif 000011